(57)【要約】【課題】誤操作の少ないタッチパネルディスプレイを提供する。【解決手段】利用者がタッチすることによって情報の入力を受け付けるタッチパネルディスプレイであって、利用者からのタッチ操作を受け付け、情報の入力位置の周囲の一部が削られることによって、利用者のタッチ操作を遮る遮蔽部と、削られた一部の周囲のうちの残りの部分であって、遮蔽部がタッチ操作を遮った場合に生じる力によって利用者がタッチする方向に撓る撓り部と、が形成されたパネル部と、パネル部の下面側から所定の間隔をあけて配置され、力によって撓り部が撓り、タッチ操作を遮った遮蔽部が当接することによって、タッチ操作を検知する検知部と、パネル部と検知部とを所定の間隔をあけた状態で支える縁部と、を備える。【選択図】図１Ａ
2011227602.tif 000002
【特許請求の範囲】
【請求項１】
利用者がタッチすることによって情報の入力を受け付けるタッチパネルディスプレイであって、
前記利用者からのタッチ操作を受け付け、前記情報の入力位置の周囲の一部が削られることによって、前記利用者のタッチ操作を遮る遮蔽部と、削られた一部の前記周囲のうちの残りの部分であって、前記遮蔽部が前記タッチ操作を遮った場合に生じる力によって前記利用者がタッチする方向に撓る撓り部と、が形成されたパネル部と、
前記パネル部の下面側から所定の間隔をあけて配置され、前記力によって前記撓り部が撓り、前記遮蔽部が当接することによって、前記タッチ操作を検知する検知部と、
前記パネル部と前記検知部とを前記所定の間隔をあけた状態で支える縁部と、
を備えることを特徴とするタッチパネルディスプレイ。
【請求項２】
前記パネルの上面に前記入力位置に対応する位置に穴を有する上部パネルが設けられている、
ことを特徴とする請求項１に記載のタッチパネルディスプレイ。
【請求項３】
利用者がタッチすることによって情報の入力を受け付けるタッチパネルディスプレイであって、
前記利用者からのタッチ操作を受け付け、前記情報の入力位置に設けられた穴の周囲が他の面に比べて高いパネル部と、
前記パネル部の下面側から所定の間隔をあけて配置され、前記穴に対応する位置で前記利用者のタッチ操作を検知する検知部と、
前記パネル部と前記検知部とを前記所定の間隔をあけた状態で支える縁部と、
を備えることを特徴とするタッチパネルディスプレイ。
【請求項４】
前記穴の周囲の外側を削って前記他の面と前記穴の周囲とに段差を形成することによって、前記穴の周囲が他の面に比べて高くさせる、
ことを特徴とする請求項３に記載のタッチパネルディスプレイ。
【請求項５】
前記穴の周囲に遮蔽物を備えることによって、前記穴の周囲が他の面に比べて高くさせる、
ことを特徴とする請求項３に記載のタッチパネルディスプレイ。
【発明の詳細な説明】
【技術分野】
【０００１】
本発明は、例えば、不特定多数が操作する銀行のＡＴＭや駅の券売機、キオスク端末などの各種機器が備えるユニバーサル・タッチパネルディスプレイに関する。
【背景技術】
【０００２】
近年、タッチパネルディスプレイはアプリケーションの内容に応じて自由にボタンのサイズ、個数、レイアウトを構成出来、ボタンの耐久性も高いことから公共端末等の装置に広く用いられている。しかしながら、タッチパネルディスプレイのボタンは画面上にボタンを表示し、ユーザが画面に表示されたボタンをタッチすることで操作する構造であるため、ボタン形状が平坦であり利用者はボタン位置を直感的に把握するには困難な場合がある。
【０００３】
特に、視覚障害者の利用においてはタッチパネルディスプレイとは別に専用のボタンを設けているのが実情である。この問題に対し、特許文献１および特許文献２では、タッチパネルディスプレイのボタン位置に穴を開けたガイド板を、タッチパネルディスプレイ前面に設けることで、ボタン位置を明確にし、入力操作を確実に行う技術が記載されている。また、視覚障害者がタッチパネルディスプレイを利用する方式として、特許文献３には、ボタン位置に穴を開けた治具パネルを用意し、そのパネルを視覚障害者が操作する時にタッチパネルディスプレイの前面に取り付けて使用する方式が記載されている。
【先行技術文献】
【特許文献】
【０００４】
【特許文献１】特開平１１−３２７７８７公報
【特許文献２】特開２００１−１１７７２１公報
【特許文献３】特開平７−２１０７２３公報
【発明の概要】
【発明が解決しようとする課題】
【０００５】
しかしながら、特許文献１および特許文献２の技術では、利用者が視覚障害者の場合、タッチパネルディスプレイのボタン位置を確認するために、ガイド板の全面を指で触って探った場合、カイド板の穴の中に指が入り誤ってタッチパネルのボタンを押してしまう恐れがある。また、特許文献３に記載の方法は、事前に視覚障害者がパネル治具単体に触れ穴の位置を確認しておくことが前提であり、使用毎にタッチパネルディスプレイに取り付ける必要がある。
【０００６】
本発明は、上記に鑑みてなされたものであって、誤操作の少ないタッチパネルディスプレイを提供することを目的とする。
【課題を解決するための手段】
【０００７】
上述した課題を解決し、目的を達成するために、本発明にかかるタッチパネルディスプレイは、利用者がタッチすることによって情報の入力を受け付けるタッチパネルディスプレイであって、前記利用者からのタッチ操作を受け付け、前記情報の入力位置の周囲の一部が削られることによって、前記利用者のタッチ操作を遮る遮蔽部と、削られた一部の前記周囲のうちの残りの部分であって、前記遮蔽部が前記タッチ操作を遮った場合に生じる力によって前記利用者がタッチする方向に撓る撓り部と、が形成されたパネル部と、前記パネル部の下面側から所定の間隔をあけて配置され、前記力によって前記撓り部が撓り、前記遮蔽部が当接することによって、前記タッチ操作を検知する検知部と、前記パネル部と前記検知部とを前記所定の間隔をあけた状態で支える縁部と、を備えることを特徴とする。
【０００８】
また、本発明にかかるタッチパネルディスプレイは、利用者がタッチすることによって情報の入力を受け付けるタッチパネルディスプレイであって、前記利用者からのタッチ操作を受け付け、前記情報の入力位置に設けられた穴の周囲が他の面に比べて高いパネル部と、前記パネル部の下面側から所定の間隔をあけて配置され、前記穴に対応する位置で前記利用者のタッチ操作を検知する検知部と、前記パネル部と前記検知部とを前記所定の間隔をあけた状態で支える縁部と、を備えることを特徴とする。
【発明の効果】
【０００９】
本発明によれば、誤操作の少ないタッチパネルディスプレイを提供することが出来る。
【図面の簡単な説明】
【００１０】
【図１Ａ】実施例１におけるユニバーサル・タッチパネルディスプレイの構成を示す図である。
【図１Ｂ】図１Ａに示したユニバーサル・タッチパネルディスプレイの断面図である。
【図２】図１Ａに示したユニバーサル・タッチパネルディスプレイの変形例の構成を示す図である。
【図３】実施例２におけるユニバーサル・タッチパネルディスプレイの構成を示す図である。
【図４】図３に示したユニバーサル・タッチパネルディスプレイの断面図である。
【図５】図３に示したユニバーサル・タッチパネルディスプレイの変形例の断面図である。
【図６】実施例３におけるユニバーサル・タッチパネルディスプレイの構成を示す図である。
【発明を実施するための形態】
【００１１】
以下に添付図面を参照して、本発明にかかるタッチパネルディスプレイの実施の形態を詳細に説明する。
【００１２】
（実施例１）
図１Ａは、本発明の一実施形態によるユニバーサル・タッチパネルディスプレイである。タッチパネルディスプレイ１には、例として、操作確認用のボタン“○”と“×”があることを想定している。
【００１３】
図１Ａに示すように、タッチパネルディスプレイ１の前面には、例えば、透明プラスチック等、利用者の指等によって押圧された場合に撓る程度の材料で構成されたパネル１４が設けられている。パネル１４とタッチパネルディスプレイ１との関係は、例えば、図１Ｂに示すように、利用者の指等による押圧を検知するタッチパネル本体９との間に隙間を設けておき、誤ってタッチセンサが反応しない構成となっている。パネル１４には、タッチパネルディスプレイ１のボタン位置（不図示）と同じ箇所（ボタン位置に対応する位置）の周囲を削り取って形成された隙間５と、利用者の指等の押下を遮る遮蔽部４と、遮蔽部４をパネル１４に支えるための撓り部６とが形成されている。
【００１４】
以下では、利用者の指等によってタッチパネルディスプレイ１のボタンを押下する部分（遮蔽部４および撓り部６）をタッチ部と呼ぶ。なお、タッチパネル本体９が利用者の指等による押圧を検知する手法については、導電性の透過膜を用いて検知する抵抗膜方式等、従来から知られている種々の手法を用いることが出来る。
【００１５】
遮蔽部４が利用者の指等によって押圧されると、遮蔽部４が受けた押圧力によって、撓り部６が撓り部６とパネル１４との根元部分である支持部を支点として撓る。そして、遮蔽部４が利用者の指等によって押圧されなくなると、撓った状態の撓り部６が元の状態に戻り、遮蔽部４も元の位置に戻る。このように、利用者の指等によって、タッチ部の遮蔽部４が押し込まれ、押し込まれた遮蔽部４が、タッチパネルディスプレイ１に触れることによって、タッチパネルディスプレイ１のボタンを直接押した場合と同じ効果が得られる。そして、タッチ部は撓り部６を有しているため、上述したように、利用者が指を離すと元の状態に戻り、タッチセンサから離れるようになっている。
【００１６】
利用者が視覚障害者の場合、パネル１４全面を指で探った場合、その指が遮蔽部４の周囲に形成された隙間５に触れることより、視覚障害者は遮蔽部４の位置を確認出来、遮蔽部４を押し込むことにより、タッチパネルディスプレイ１のボタンを押す事が出来る。さらに、遮蔽部４が設けられているため、不用意にボタンを押す恐れも無い。
【００１７】
また、図２に示すように、遮蔽部４の位置に穴８を開けたパネル７で覆った場合には、遮蔽部４の位置がより明確となるため、視覚障害者は、より容易にタッチパネルディスプレイ１のボタン位置を判別する事が出来る。本実施例では、タッチパネルディスプレイ１に“○”と“×”の２つのボタンが設けられていることを前提に説明したが、使用する装置のタッチパネルディスプレイ画面に表示されたボタンの個数、サイズ、位置に合わせてパネル１４及びパネル７を作成することとしてもよい。
【００１８】
このように、利用者がタッチすることによって情報の入力を受け付けるタッチパネルディスプレイ１は、利用者からのタッチ操作を受け付け、情報の入力位置の周囲の一部が削られることによって、利用者のタッチ操作を遮る遮蔽部４と、削られた一部の周囲のうちの残りの部分であって、遮蔽部がタッチ操作を遮った場合に生じる力によって利用者がタッチする方向に撓る撓り部６と、が形成されたパネル１４と、パネル１４の下面側から所定の間隔をあけて配置され、力によって撓り部が撓り、遮蔽部４が当接することによって、タッチ操作を検知するタッチパネル本体部９と、パネル１４とタッチパネル本体部９とを所定の間隔をあけた状態で支えるタッチパネル額縁１０とを備えているので、利用者による誤操作を少なくすることができる。例えば、視覚障害者がタッチパネルディスプレイのボタン位置を確認するためにタッチパネルディスプレイ前面に予め取り付けられたパネル全面を指で探っても誤ってタッチパネルディスプレイのボタンを押す恐れが無くなる。
（実施例２）
図３は、実施例１におけるパネル１４とは異なるパネル２のタッチ部の周囲に遮蔽部４’（枠）を設けたユニバーサル・タッチパネルディスプレイの構成を示す図である。図３に示すように、タッチパネルディスプレイ１の前面に透明プラスチック等でパネル２を設ける。パネル２は、実施例１の場合と同様に、タッチパネルディスプレイ１の表示を隠さない様に、透明なプラスチックパネル等を用いる。パネル２にはタッチパネルディスプレイ１のボタン位置と同じ箇所（ボタン位置に対応する位置）に穴３が設けられ、その周囲に遮蔽部４’を構成する。
【００１９】
遮蔽部４’は、図４に示すユニバーサル・タッチパネルディスプレイの断面に示すように、穴３の形状に合わせて作成したパーツ（例えば、パネル１４と同様の透明プラスチック等の材料でできたもの）を貼り付けることによって構成されている。しかし、図５に示すユニバーサル・タッチパネルディスプレイの断面図に示すように、穴３の周囲を残し、その周囲が遮蔽部を構成するように削り出した遮蔽部一体型のパネル１１を用いることも可能である。視覚障害者がパネル１１の全面を指で探った場合であっても、削り出した遮蔽部があるため、不用意に穴に指が入る事が無くなり誤ってボタンを押す恐れが無くなる。
【００２０】
なお、実施例２においては、実施例１に示したような遮蔽部４を設けていないため、利用者の指先と導電膜との間における電気容量の変化によって位置を検出する静電容量方式を用いて利用者の指等による押圧を検知することも可能である。
（実施例３）
図６は実施例３におけるユニバーサル・タッチパネルディスプレイのパネルレイアウトの例を示す図である。図６に示すように、タッチパネルディスプレイの画面には、操作確認用の“○”と“×”のボタン及びテンキーボタンが設けられている。そして、それぞれのボタン位置を示す穴３の周囲には、図３に示した遮蔽部４’が設けられている。
【００２１】
各々のボタン位置下には点字ラベル１３が貼り付けられ、各ボタンの機能を視覚障害者が指で認識出来るようになっている。操作確認用ボタンとテンキーボタンの間にはエリア区分け用遮蔽部１２（例えば、パネル１４と同様の透明プラスチック等の材料でできたもの）が設けられ、容易に操作確認用ボタンとテンキーボタンの機能の区別をつけることができるようになっている。エリア区分け用遮蔽部１２は、ボタン用の遮蔽部４’と高さを変えるか、またはパネルを削り低くすることによって、これらの機能の区別を容易に判別できるようにしてもよい。
【００２２】
このように、タッチパネルディスプレイのボタンの機能を判別出来るようにタッチパネルディスプレイの各々のボタン位置近くに点字ラベルを貼り付けられているので、視覚障害者が事前に各々のボタン位置と機能の説明を受けなくとも、パネル全面を指で探ることによって、容易にその位置を自ら把握することが可能となる。
【００２３】
なお、実施例１〜実施例３に示したパネルは、タッチパネルディスプレイ１に取り付けた状態で健常者も操作が可能であるため、タッチパネルディスプレイ１に常に取り付けたままにしてもよい。また、パネルはタッチパネルディスプレイから容易に取外すことも可能であるため、タッチパネルディスプレイ搭載機器アプリケーションの内容や変更に応じて、容易にパネルを交換することができる。
【００２４】
なお、本発明は、上記実施の形態そのままに限定されるものではなく、実施段階ではその要旨を逸脱しない範囲で構成要素を変形して具体化することができる。また、上記実施の形態に開示されている複数の構成要素の適宜な組み合わせにより、種々の発明を形成することができる。例えば、実施の形態に示される全構成要素からいくつかの構成要素を削除してもよい。さらに、異なる実施の形態にわたる構成要素を適宜組み合わせても良い。
【符号の説明】
【００２５】
１  タッチパネルディスプレイ
２  ボタン操作用の穴と穴の周囲に遮蔽部を備えたパネル
３  タッチパネルディスプレイのボタン操作用穴
４  ４’  遮蔽部
５  隙間
６  撓り部
７  保護用パネル
８  パネル操作用穴
９  タッチパネル本体部
１０  タッチパネル額縁
１１  遮蔽部一体型パネル
１２  操作エリア区分け用遮蔽部
１３  点字ラベル
１４  遮蔽部と撓り部を備えたパネル。
【図１Ａ】
2011227602.tif 000003
【図１Ｂ】
2011227602.tif 000004
【図２】
2011227602.tif 000005
【図３】
2011227602.tif 000006
【図４】
2011227602.tif 000007
【図５】
2011227602.tif 000008
【図６】
2011227602.tif 000009